Podtech/llm-jp-corpus-v4-ja_patent huggingface dataset:
(57)【要約】      （修正有）【課題】従来のジャムやケチャップのように味付けする必要はなく、材料そのものの味を引き出すため、できるだけ水分を除去するものである。また甘い材料のものでは砂糖や甘味料を加える必要はなく、ヘルシーな製菓材料としての板形ジャムを提供する。【解決手段】果物や根菜類のようなジューシーな材料をミキサーやカッターなどで粉砕し、どろどろの液体として鍋で煮つめ、硬いペースト状２にする。硬いペースト状２を型枠３に移し、板形ジャム４に固める。【選択図】図２
0003117577.tif 000002
【実用新案登録請求の範囲】
【請求項１】
果物や根菜類のようなジューシー（多水分性）な材料をカッターなどで粉砕して煮つめ、水分を減少して硬いペースト状（糊状）にし、型枠に入れて、板形ジャムを製造する方法。
【考案の詳細な説明】
【技術分野】
【０００１】  本考案は果物や根菜類のジャムを水分の少ない板形状に加工する方法に関するものである。
［背景技術］【０００２】  従来のジャムやケチャップはビンなどの容器に詰めた流動性のあるものが多く、固形や粒状のものは少ない。
［考案の開示］
［考案が解決しようとする課題］【０００３】  流動性のあるジャムやケチャップは、それを詰める容器が必要であるほか、輸送などのコストも高く、経済的にも不利な面が多い。
［課題を解決するための手段］【０００４】  本考案の方法は果物（りんご、みかん、バナナ、なし、かき、ぶどうなど）や根菜類（メロン、すいか、ヤーコン、さつまいも、いちごなど）はミキサーやカッターで砕き裏ごしする。さつまいもやヤーコンなどは、焼いもにしてから裏ごしすることもできる。裏ごししたどろどろの液体を平底鍋に入れでペースト状になるまで煮つめる。これをさらに厚底鍋に入れて硬いペースト状になるまで煮つめる。硬いペースト状の材料を型枠に移し、平板状に固める。
［考案の効果］【０００５】  以上の方法では従来のジャムやケチャップのように味付けする必要はなく、材料そのものの味を引き出すため、できるだけ水分を除去するものである。また甘い材料のものでは砂糖や甘味料を加える必要はなく、ヘルシーな製菓材料としての板形ジャムを提供できる。
［考案を実施するための最良の形態］【０００６】  このためジャムやケチャップの原料となる果物や根菜類も豊富な里山や過疎地域でも経済的に容易に実施できる。
［実施例］【０００７】  この板形ジャムを用いて和菓子（ヨーカン、ダンゴ、餅、飴など）や洋菓子（マフィン、マドレーヌ、スコーン、パンなど）をつくることができる。【０００８】  このように果物や根菜類の板形ジャムの製造方法によれば、地域の特性を生かした製品を経済的に容易に生産でき、地域の産業振興にも寄与するものである。
【図面の簡単説明】
【０００９】［図１］厚底鍋で煮つめてから容器に入れた硬いペースト状ジャムの斜視図
［図２］型枠に入れ、板形に固めたジャムの斜視図
【符号の説明】
【００１０】１  容器
２  硬いペースト状のジャム
３  型枠
４  板形に固めたジャム
【図１】
0003117577.tif 000003
【図２】
0003117577.tif 000004
【手続補正書】
【提出日】平成17年9月22日(2005.9.22)
【手続補正１】
【補正対象書類名】実用新案登録請求の範囲
【補正対象項目名】全文
【補正方法】変更
【補正の内容】
【実用新案登録請求の範囲】
【請求項１】
果物を材料とする硬い板形の形状を有する板形ジャム。
【手続補正２】
【補正対象書類名】明細書
【補正対象項目名】全文
【補正方法】変更
【補正の内容】
【考案の詳細な説明】
【技術分野】
【０００１】本考案は果物で製造した板形ジャムに関するものである。
【背景技術】
【０００２】従来のジャムやケチャップはビンなどの容器に詰めた流動性のあるものが多く、固形や粒状のものは少ない。
【考案の開示】
【考案が解決しようとする課題】
【０００３】  流動性のあるジャムやケチャップは、それを詰める容器が必要であるほか、輸送などのコストも高く、経済的にも不利な面が多い。
【課題を解決するための手段】
【０００４】  本考案の板形ジャムは、果物（りんご、みかん、バナナ、なし、かき、ぶどうなど）をミキサーやカッターで砕き、裏ごしで得られたどろどろの液体を平底鍋に入れてペースト状になるまで煮詰め、これをさらに厚底鍋に入れて硬いペースト状になるまで煮詰めて硬いペースト状にし、これを型枠に移し、板状に固めたものである。
【考案の効果】
【０００５】  本考案の板形ジャムは従来のジャムやケチャップのように味付けする必要はなく材料そのものの味を引出すことができる。また甘い材料のものでは砂糖や甘味料を加える必要はなく。ヘルシーな製菓材料として使用できる。
【実施例】
【０００６】以下りんごで製造する板形ジャムについて説明する。
（１）まずりんごを砕きどろどろの液体とする。
（２）液体を平底鍋に入れて、やわらかいペースト状になるまで煮詰める。
（３）ペースト状になったものを厚底鍋に入れて、さらに硬いペースト状のものになるまで煮詰める。
（４）得られたペースト状のジャム２を、図１に示すように容器１に入れて放冷する。
（５）放冷したジャム２を図２に示すように、型枠３に移し、板状のジャム４に固める。
得られた板状のジャム４は、文字通り板形のものである。
【図面の簡単な説明】
【０００７】
【図１】硬いペースト状のジャムを容器に入れて放冷する状態を示す斜視図
【図２】放冷したジャムを型枠に入れ、板形のジャムに固める状態を示す斜視図
【符号の説明】
【０００８】  １  容器
２  硬いペースト状のジャム
３  型枠
４  板状のジャム
(57)【要約】      （修正有）【課題】特殊防水フィルムで作られたふとん袋（カバー）で、外出時の急な雨・風に対応できる全天候型ふとん袋（カバー）の提供。【解決手段】ふとん袋（カバー）本体１の特性から太陽光を取り入れ、ふとんの水分を外に逃がし、外からの雨等水分の浸入を防ぐ、また本体にファスナー２を付け、ふとんの出し入れを可能にし、ファスナーからの水分の浸入を防ぐためファスナーカバー３を付けた。また、ふとんの落下を防ぐためふとんカバー本体にマジックテープ（登録商標）ひも部分４とそれを受けるマジックテープ６および７を装着した。【選択図】図１
0003117554.tif 000002
【実用新案登録請求の範囲】
【請求項１】
光、空気は通すが水は通さないというフィルムを袋状にし、特殊防水ファスナー（ファスナーカバー付き）をつけて布団の出し入れを自由にした全天候型ふとん干し袋（カバー）
【考案の詳細な説明】
【技術分野】
【０００１】  本考案は、光、空気は通すが雨は通さない特殊防水フィルムを使用し、しかも風による落下防止機能付きのふとん干し袋（カバー）に関するものである。
【背景技術】
【０００２】  昨今は、単身赴任や共働きも多く、天気が良くても万一の雨や風が心配なため、ふとん干しができない状況にある。
【考案の開示】
【考案が解決しようとする課題】
【０００３】  ちょっとした外出を含め、安心して太陽に干せるため健康的である。
【課題を解決するための手段】
【０００４】  光と空気は通すが、水は通さない特殊防水フィルムを使用することで、万一の雨にも対応可能となる又、風対策として、ふとんの両サイドにマジックテープを設け、風によるふとんの落下を防ぐ。
【考案の効果】
【０００５】  上述の様に、安心して外出が出来、太陽の光をいっぱいに浴びたふとんで眠ることは大変健康的である。
【考案を実施するための最良の形態】
【０００６】  ファスナー部分より水が入らないように、ファスナーカバーを取り付け、ふとんの落下を防ぐためにカバー両サイドにマジックテープをつける。
又、マジックテープをつけることにより、干し方の工夫も可能となる。
【実施例】
【０００７】  以下、添付図面に従って実施例を説明する。
▲１▼は、光、空気は通すが水は通さないという特殊防水防水フィルムで出来ているふとんカバー本体。
▲２▼は、ふとんの出し入れのためのファスナー部分
▲３▼は、ファスナーをカバーするマジックテープ付きカバー。
▲４▼は、干した時にふとんの落下を防ぐ両面マジックテープのひも。
▲５▼は、本体についているマジックテープ部分
▲６▼は、裏面のマジックテープ部分。
▲７▼は、少し幅広のマジックテープ部分で、ファスナーカバーのマジックテープ部分との結合を可能にする。
【図面の簡単な説明】
【０００８】
【図１】本考案の全天候型ふとんカバーの表面図
【図２】本考案の全天候型ふとんカバーの裏面図
【符号の説明】
【０００９】１  全天候型ふとんカバー本体
２  ふとん出し入れのためのファスナー部分
３  マジックテープ付きファスナーカバー
４  ふとん落下防止マジックテープのひも部分
５  ふとん落下防止マジックテープのひも部分
６  ふとん落下防止のマジックテープの裏面部分
７  ふとん落下防止のマジックテープの裏面部分及びファスナーカバーのマジックテープの相手部分
【図１】
0003117554.tif 000003
【図２】
0003117554.tif 000004
【手続補正書】
【提出日】平成17年4月14日(2005.4.14)
【手続補正１】
【補正対象書類名】実用新案登録請求の範囲
【補正対象項目名】全文
【補正方法】変更
【補正の内容】
【実用新案登録請求の範囲】
【請求項１】
光、空気は通すが水は通さないというフィルムを袋状にし、ファスナー（ファスナーカバー付き）をつけてふとんの出し入れを自由にした全天候型ふとん干し袋（カバー）
【手続補正書】
【提出日】平成17年8月30日(2005.8.30)
【手続補正１】
【補正対象書類名】実用新案登録請求の範囲
【補正対象項目名】全文
【補正方法】変更
【補正の内容】
【実用新案登録請求の範囲】
【請求項１】
・光、空気は通すが水は通さないというフィルムを袋状にし、ファスナーをつけてふとんの出し入れを自由にした全天候型ふとん干し袋
(57)【要約】      （修正有）【課題】容器の中栓本体１に、中栓シャッターを取り付けることによって、容器が倒されたり落としたりすることがあっても、容器内の中身は外へこぼしたり散らしたりすることは起きないようにした。また、中栓シャッターで、中栓開口部２の幅を調整することが可能になり、簡単に中身を取り出せるようにした。【解決手段】中栓本体１に、中栓シャッター６を取り付けることによって、中栓本体１の開口部２を開け閉めすることが可能になった。中栓本体１の開口部２を中栓シャッター６で閉めることによって、例えその容器１０が倒されたり、或いは落としたりすることがあっても、容器１０内の中身は外へこぼしたり散らしたりすることはない。又、中栓シャッター６は、中栓本体１の開口部２の巾を任意に調整することを可能にし、中身が満杯の時に小さい開口で中身を出したり、中身が少量の時に開口を大きくして出したりすることが可能。【選択図】図４
0003117553.tif 000002
【実用新案登録請求の範囲】
【請求項１】
容器の中栓に左右任意回転可能な中栓シャッターを設けることによって、中栓の開口部を開閉することを可能にする。また、この中栓シャッターで中栓開口部を閉めることによって、容器内の中身（粉や錠剤など）を外にこぼしたり、散らしたりすることを防ぐことができる。
【請求項２】
中栓シャッターで中栓開口部の開口巾を調整することが可能になり、容器内の中身の出し量を調整しなら簡単に取り出すことを可能にする。
【請求項３】
中栓シャッターと中栓本体との取り付けは、中栓シャッターに設けてあるシャッター止めを中栓本体中央部に設けてあるシャッター止め穴に挿入するだけで取り付けられる簡単なワンタッチ方式である。この方式で、中栓シャッターの取り外しも簡単に可能になる。
【考案の詳細な説明】
【考案の詳細な説明】
【考案が解決しようとする課題】
【０００１】従来の容器１０用の中栓本体１は、大きな開口部２しかない。該当開口部２は常に開放したままであり、不注意で容器１０が倒されたり、或いは落したりすることによって、容器１０内の中身が外へ飛び散ってしまうと言う問題があった。また、中栓本体１には、中栓シャッター６のような手段が無いため、開口部２の巾を調整するのが不可能で、容器１０内の中身が不注意によっていきなりこぼし出したりする不具合がしばしばあった。
【考案が解決するための手段】
【０００２】大きな開口部２を持ち中栓本体１でも、中栓シャッター６を設けることによって、開口部２を閉めたり開けたりすることができるようにした。また、開口部２の巾調整も可能にした。
【実施例】
【０００３】図３の中栓本体１の中心部にシャッター止め穴３を設け、その上中栓本体１の壁にシャッターガイド４を設ける。図４で示すように、中栓シャッター６に、中栓本体１と同等サイズ又はより小さいシャッター開口部９を設け、中栓シャッター６の裏面中央部にシャッター止め８を設ける。更に、中栓シャッター６を回転できるようにするために、中栓シャッター６の上面にシャッター回転レバー７を設ける。中栓シャッター６を中栓本体１への取り付けは、シャッター止め穴３とシャッター止め８との組み合わせのワンタッチ式である。中栓シャッター６のシャッター止め８を中栓本体１のシャッター止め穴３に挿入し、「カッチ！」と言う音が聞こえたら、セット完了になる。この時、中栓シャッター６は、中栓本体１にある突起部のシャッターガイド４にガイドされ、しっかりと取り付けられることになる。
【考案の効果】
【０００４】中栓本体開口部２を中栓シャッター６で閉めて、容器１０が倒されたり落としたりすることがあっても、容器１０内の中身（粉や錠剤など）が外へこぼしたり散らしたりすることはなくなる。
【図面の簡単な説明】
【図１】従来中栓本体１を示す立体図である。
【図２】今回考案した中栓シャッター６の立体図である。
【図３】今回考案した中栓本体１を示す立体図である。
【図４】中栓シャッター６を中栓本体１に取り付け、そして容器１０にはめる、と示す組立て平面図である。
【符号の説明】
１  中栓本体
２  中栓本体開口部
３  シャッター止め穴
４  シャッターガイド
５  乾燥剤入れポケット
６  中栓シャッター
７  シャッター回転レバー
８  シャッター止め
９  シャッター開口部
１０  容器本体
【図１】
0003117553.tif 000003
【図２】
0003117553.tif 000004
【図３】
0003117553.tif 000005
【図４】
0003117553.tif 000006
【手続補正書】
【提出日】平成16年12月28日(2004.12.28)
【手続補正２】
【補正対象書類名】実用新案登録請求の範囲
【補正対象項目名】全文
【補正方法】変更
【補正の内容】
【実用新案登録請求の範囲】
【請求項１】
（イ）錠剤や粉類などの入れる容器本体１０の中栓本体１に、左右任意回転可能な中栓シャッター６をとりつける。
（ロ）当該中栓シャッター６を中栓本体１にとりつけるために、中栓シャッター６の裏面に凸部のシャッター止め８と、当該シャッター止め８を固定のシャッター止め穴３を中栓本体１に設ける。
（ハ）当該中栓シャッター６を左右回転するための回転レバー７を中栓本体６の表面に設ける。
（ニ）更に当該中栓シャッター６の左右回転をガイドするために凸部のシャッターガイド４を中栓本体１の内側壁に設ける。
（ホ）錠剤や粉類などを取り出すために、当該中栓シャッター６に貫通のシャッター開口部９を設ける。
以上の構成からなることを特徴とするシャッター付容器中栓である。
【手続補正書】
【提出日】平成17年6月15日(2005.6.15)
【手続補正１】
【補正対象書類名】実用新案登録請求の範囲
【補正対象項目名】全文
【補正方法】変更
【補正の内容】
【実用新案登録請求の範囲】
【請求項１】
錠剤や粉類などを入れる容器本体１０の中栓本体１に、左右任意回転可能な中栓シャッター６をとりつけたものであって、当該中栓シャッター６は、裏面に凸部のシャッター止め８と、表面に当該中栓シャッター６を左右回転するための回転レバー７と、錠剤や粉類などを取り出すための貫通したシャッター開口部９を設け、一方、中栓本体１は、前記シャッター止め８が挿入されるシャッター止め穴３と、内側壁に中栓シャッター６の左右回転をガイドするための凸部のシャッターガイド４とを設けたことを特徴とするシャッター付容器中栓。
(57)【要約】      （修正有）【課題】シュークリーム、エクレア等洋菓子のシューの食感を活かして食することができるクリーム部の分割販売法を提供する。【解決手段】クリーム部を別容器に入れ、シューと共に販売する。購入者個人がクリームを入れる。【効果】本来のサクサクした食感で食することができ、持ち運び時にも装飾が崩されることがなく購入者個人でクリームを注入することで、「楽しさ」「面白さ」を醸成するほか、甘みをクリーム量で調整できる。【選択図】図３
0003117559.tif 000002
【実用新案登録請求の範囲】
【請求項１】
クリームを中央部に挿入する洋菓子（シュークリーム、エクレア等）を、クリーム部を別袋に入れ販売。購入者が購入後、各自でクリームを挿入し食する仕組み。
【考案の詳細な説明】
【考案の詳細な説明】
【技術分野】
【０００１】  本考案は、従来、クリームが入っている状態（装飾された状態を含む）で販売されている洋菓子（シュークリーム、エクレア等）を、クリームを別の容器に入れ、購入者が各自でクリームを注入（又は装飾）し食する仕組みに関する。
【背景技術】
【０００２】  従来技術では、クリーム部を別にしての販売は行われていない。
【考案の開示】
【考案が解決しようとする課題】
【０００３】  従来の販売方法では、シューの中にクリームが入ったシュークリームやエクレアでは、シュー部にクリームが浸透し、サクサクした食感が失われる場合があった。
【課題を解決するための手段】  上記を解決するために、クリーム部を別の容器に入れ販売、購入者が食するときに自身がクリームを注入、又は装飾する。
【考案の効果】  本来の食感で食することができる。また、持ち運び時にも装飾が崩れることがない。
また、購入者個人でクリームを注入することで、「楽しさ」「面白さ」を醸成するほか、甘みをクリーム量で調整できる。
【考案を実施するための最良の形態】
【０００４】  シュー１個分のクリームを別袋（ビニル袋等）に注入し、シューと合わせて販売する。
【図面の簡単な説明】
【図１】シュー部とクリーム部を分割している図である。
【図２】シュー部とクリーム部を合わせて袋詰めしている図である。
【図３】シュー部にクリーム部を注入している図である。
【符号の説明】
１  シュー部
２  クリーム部（別容器）
【図１】
0003117559.tif 000003
【図２】
0003117559.tif 000004
【図３】
0003117559.tif 000005
【手続補正書】
【提出日】平成17年7月5日(2005.7.5)
【手続補正１】
【補正対象書類名】実用新案登録請求の範囲
【補正対象項目名】全文
【補正方法】変更
【補正の内容】
【実用新案登録請求の範囲】
【請求項１】
洋菓子とクリームの入った別袋とを一緒に袋詰めにしたことを特徴とする、洋菓子とクリームの組み合わせ。
【手続補正書】
【提出日】平成17年9月22日(2005.9.22)
【手続補正１】
【補正対象書類名】実用新案登録請求の範囲
【補正対象項目名】全文
【補正方法】変更
【補正の内容】
【実用新案登録請求の範囲】
【請求項１】
クリーム部を別袋に入れ封入したクリームの入っていないシュークリームなど生地を空洞にした洋菓子。
(57)【要約】      （修正有）【課題】鳥や小動物が不快がらず、飼育者にとっても使用が容易な消臭剤入りで、各種ミネラルの補給ができ、鳥や小動物の脚の負担を軽減するような止まり木。【解決手段】まず、鳥や小動物とかごの大きさに合わせて、炭の太さと長さを決める。炭にボルト２を埋め込み、２枚のワッシャー３でかご５を挟み込むようにして蝶ナット４で固定する。止まり木の太さや長さによっては、両端を固定したり、支柱を付けたりして安定を図ることができる。【選択図】図２
0003117555.tif 000002
【実用新案登録請求の範囲】
【請求項１】
炭を材料とした鳥や小動物の止まり木で、飼育の際の消臭と各種ミネラルの補給に効果があるもの。およびそれを応用した各種器具や玩具。
【考案の詳細な説明】
【技術分野】
【０００１】  本考案は、炭を材料とした鳥や小動物の止まり木で、飼育の際の消臭と各種ミネラルの補給に効果があるもの。およびそれを応用した各種器具や玩具に関する。
【背景技術】
【０００２】  従来の消臭剤は化学合成されたものが多い。
従来は各種ミネラルの補給のための飼料が別に必要である。
従来の止まり木は太さが一定のものが多い。
【考案の開示】
【考案が解決しようとする課題】
【０００３】  鳥や小動物は主に室内で飼育されており、体臭や口臭、糞尿臭に飼育者は悩まされている。化学合成された消臭剤では、鳥や小動物は非常に不快がり、飼育者にとってもその使用は容易ではない。
鳥や小動物の成育には各種ミネラルの補給が不可欠であるが、その飼料は通常の飼料とは別に必要とされている。
止まり木の太さが一定であると、鳥や小動物の脚の裏にタコや傷などができ、患部から細菌感染を起こす場合があり、彼らの命に関わることもある。
【課題を解決するための手段】
【０００４】  そこで、炭を材料とした止まり木を考案した（図１）。
炭の種類としては、白炭、竹炭、笹炭、おが炭などが考えられる。
白炭はカシやナラなどを高温で焼き上げた木炭の一種で、炭質は硬い。多孔質で吸着性に富むため、高い脱臭性がある。竹炭、笹炭も高温で焼き上げられているので炭質は硬く、白炭よりも吸着性や脱臭性が高いと考えられている。おが炭はおがくずを焼き固めたものであり、高温で焼き上げられたものは、硬質ではあるが吸着性や脱臭性はやや低い。
炭は、我々人間も含め、生物には無害であり、抗菌効果が期待できる。
炭が生体内に取り込まれると、体内の老廃物を吸着してその排出を促す。
また、マグネシウム、カルシウム、カリウム、ナトリウム、鉄分が水に溶けやすい形で豊富に含まれているため、体内に吸収されやすい。
天然の材料のため、形も太さも一定ではない。
【考案の効果】
【０００５】  鳥や小動物が止まり木をなめたりすることで、炭が経口的に体内に取り込まれると、体内の老廃物を吸着してその排出を促すため、体臭や口臭、糞尿臭の抑制が期待できる。
各種ミネラルが水に溶けやすい形で豊富に含まれているため体内に吸収されやすく、それらの補給にも最適である。
また、止まり木の上を動くことによって、炭の微細な粉末が皮膚など体表の広い範囲に付着するため、さらに体臭が抑制される。
炭の微細な粉末は、飼育されているかごの中にも広がるため、排泄後の糞尿臭の抑制にも大きな効果がある。
炭は天然のものであるため、形も太さも一定ではない。鳥や小動物の脚の裏は適度に刺激され、全身の血流が活発になって、より健康な個体へと成長することが大いに期待できる。
炭は直径が約１ｃｍから約６ｃｍとさまざまな太さのものが流通しているので、小型から大型の個体までそれぞれに適したものを選ぶことができる。
【考案を実施するための最良の形態】
【０００６】  本考案に係る炭の止まり木（図１）は、炭の一端をかごに固定するものとする（図２）。
まず、鳥や小動物とかごの大きさに合わせて、炭の太さと長さを決める。
炭にボルト（図１−２）を埋め込み、２枚のワッシャー（図１−３）でかご（図２−５）を挟み込むようにして蝶ナット（図１−４）で固定する。
止まり木の太さや長さによっては、両端を固定したり、支柱を付けたりして安定を図ることができる。
止まり木の応用として、えさ入れなどの各種器具やブランコなどの各種遊具が考えられる（図３）。
【図面の簡単な説明】
【０００７】
【図１】本考案に係る炭の止まり木の斜視図である。
【図２】本考案に係る炭の止まり木をかごに固定したときの斜視図である。
【図３】本考案に係る炭の止まり木を応用したブランコの斜視図である。
【符号の説明】
【０００８】１−ａ，ｂ，ｃ  炭
２              ボルト
３              ワッシャー
４              蝶ナット
５              かご
６              小鳥
７              ブランコ
【図１】
0003117555.tif 000003
【図２】
0003117555.tif 000004
【図３】
0003117555.tif 000005
【手続補正書】
【提出日】平成17年7月8日(2005.7.8)
【手続補正１】
【補正対象書類名】実用新案登録請求の範囲
【補正対象項目名】全文
【補正方法】変更
【補正の内容】
【実用新案登録請求の範囲】
【請求項１】
炭を材料とし、飼育の際の消臭と各種ミネラルの補給に効果がある、鳥や小動物の止まり木。
【手続補正２】
【補正対象書類名】明細書
【補正対象項目名】０００１
【補正方法】変更
【補正の内容】
【０００１】
本考案は、炭を材料とし、飼育の際の消臭と各種ミネラルの補給に効果がある、鳥や小動物の止まり木。
(57)【要約】      （修正有）【課題】インクジェットカートリッジを再生、詰め替えする際、規定量を充填し且つ充填時間の短縮、目詰まりによる印刷不良を防ぐ。【解決手段】インクの通るチューブ６を充填口１に密閉されるよう設置し、インク出口４には吸引用チューブ７を密閉されるよう設置する。チューブ口からそれぞれ吸引、圧入することによって前途の効果を得るが吸引と圧入がバランス良く行えるよう、同時又はそれぞれが調節できるようチューブ部分に弁を設ける。【選択図】図１
0003117556.tif 000002
【実用新案登録請求の範囲】
【請求項１】
インクジェットカートリッジを再利用するためにインクを再充填するために用いる装置。
インクを圧力と吸引力の両方の原理を用いて充填する。
【考案の詳細な説明】
【考案の詳細な説明】
【技術分野】
【０００１】本考案はインクジェットカートリッジ再生作業のインク充填の際効率よく充填し基準量を充填する考案である。
【背景技術】
【０００２】使用済みインクジェットカートリッジにインクを再充填する際に従来では注射器、専用機器等にて充填するが、主に注入方式で充填される。
一度使用されたカートリッジのため、個々に状態が異なるので規定量が充填できない場合がある。
【考案が解決しようとする課題】
【０００３】従来再生されたインクジェットカートリッジでは充填量が異なり品質に差が発生している。
前途の内容により本考案では充填量の安定と吸引による充填によってインク出口の目詰まりを防ぐといった効果も得られる。
尚、吸引と圧入の両方の原理によって充填時間が短縮されるため作業時間の短縮が可能となる。
【課題を解決するための手段】
【０００４】本考案ではインクの圧入によりカートリッジへのインク充填量の安定をはかり、吸引によりインクを早く充填することとインク循環によりインクジェット用インクが持つアルコール類の特質によりインク出口に詰まった異物やインク自体を溶かしだす効果が得られ目詰まりを解決することを考慮している。
【考案実施の形態】
【０００５】インクの通るチューブを充填口に密閉されるよう設置しインク出口には吸引用チューブを密閉されるよう設置する。
各々おチューブ口からそれぞれ吸引、圧入することによって前途の効果を得るが吸引と圧入がバランスよく行えるよう同時又はぞれぞれが調節できるようチューブ部分に弁を設ける。
【実用例】
【０００６】以下、添付図面に従って一実施例を説明する。
まずはインク充填口▲１▼にインクタンクからのインクを供給されるチューブ▲２▼を接続され、密閉できるようにされた▲３▼からインクを圧入する。
そしてインク出口部分▲４▼に▲２▼と同様の形状で作られた▲５▼を接続し減圧させてで吸引する。
これを同時に行うことで短時間で充填され一定時間に規定量が充填される。
吸引口から充填用インクを通すことによってインク出口▲４▼の詰まりを取り除くことが可能となる。
【０００７】▲６▼の先はインクのタンクへ接続する。
▲７▼の先は吸引ポンプへ接続する。
吸引ポンプへ接続する際、インクが入り込んでポンプを破損させない様、二層にしたボックス内を通すことにより防ぐ。
▲８▼はインクジェットカートリッジ本体の横面図の一実例である。
【０００８】本考案の一実例は前途の如き構成からなるものでインクジェットカートリッジにインクを充填することが目的である。
【考案の効果】
【０００９】前途のようにインクをインクジェットカートリッジに充填することは勿論、充填速度を上げることと充填量を適切に入れ、且つ正常に使用できることを効果とする。
【図面の簡単な説明】
【図１】本考案のインクジェットカートリッジ再生用インク充填装置を一実例によって示す横面図である。
【符号の説明】
▲１▼インク充填口部
▲２▼インク圧入用部品図
▲３▼インク注入部
▲４▼インク出口部
▲５▼吸引用部品図
▲６▼インク注入用チューブ
▲７▼吸引用チューブ
▲８▼インクジェットカートリッジ本体横面図
【図１】
0003117556.tif 000003
【手続補正書】
【提出日】平成17年7月6日(2005.7.6)
【手続補正１】
【補正対象書類名】実用新案登録請求の範囲
【補正対象項目名】全文
【補正方法】変更
【補正の内容】
【実用新案登録請求の範囲】
【請求項１】
インクジェットカートリッジ再充填装置において、インク圧入装置と、インク吸引装置とを有することを特徴とするインクジェットカートリッジ再充填装置。
【手続補正書】
【提出日】平成17年9月28日(2005.9.28)
【手続補正１】
【補正対象書類名】実用新案登録請求の範囲
【補正対象項目名】全文
【補正方法】変更
【補正の内容】
【実用新案登録請求の範囲】
【請求項１】
インクジェットカートリッジ再充填装置において、インクジェットカートリッジ再充填装置に接続されたインク圧入装置と、インクジェットカートリッジ再充填装置に接続されたインク吸引装置とを有することを特徴とするインクジェットカートリッジ再充填装置。
(57)【要約】【課題】従来の図形パズルは、複雑・難解なものが多かった。また、従来の認知症予防のための脳活性化法は、楽しみながらという点において工夫が足りない。【解決手段】ある程度まで完成させた図形（１）に、１〜５個の直角二等辺三角形を付け加えて、意味ある図形（２）を完成させる。また、付け加える直角二等辺三角形の数を変化させて、難易度を調整する。楽しさを追及するためパズル形式を採用。【選択図】図１
0003117563.tif 000002
【実用新案登録請求の範囲】
【請求項１】
図形（１）に直角二等辺三角形を１〜５個付け加えて、意味のある図形（２）をつくるパズルおよびそのテキスト
【考案の詳細な説明】
【技術分野】
【０００１】本考案は認知症を予防および改善するための脳機能活性法に関する考案
【背景技術】
【０００２】基本的な単位図形を用いて、生き物や乗り物といった多種多様な形を作り上げるパズルがある。
一般的なものとして、タングラムがある。
【考案の開示】
【考案が解決しようとする課題】
【０００３】従来の図形パズルは、主に幼児等子供を対象としたものであり、複雑・難解なものが多かった。
タングラムもまた、単純な７つの図形を組み合わせるという点では単純明瞭であるが、実際、行ってみると、かなり難解で、高齢者が取り組むには、難しすぎる。
また、認知症予防のための脳活性化法には様々なものがある。代表的には、計算ドリルがある。
しかし、計算ドリルを始めとした従来の認知症予防法は、楽しみながらという点において工夫が足りない。
【課題を解決するための手段】
【０００４】まず、複雑さ・難解さを解決するために、本考案では、図形（１）に、図形の基本となる直角二等辺三角形を付け加えることでパズルを完成させるという形を採用している。
つまり、ある程度まで図形が完成されており、あと１〜５個の直角二等辺三角形を付け加えるだけで意味ある図形を完成できるのである。
また、付け加える直角二等辺三角形の数を変化させることにより、難易度を変化させることができる。
さらに本考案は、楽しさも追及するためパズル形式を採用している。
【考案の効果】
【０００５】ある程度完成された図形（１）に、数個の直角二等辺三角形を付け加えるだけで意味ある図形（２）を完成できるため、高齢者にも容易にパズルを完成できる。
また、付け加える直角二等辺三角形の数を変化させることにより、高齢者のレベルに合わせたパズルにすることができる。
さらに、パズルという遊びを通しての脳機能活性化法で、楽しみながらおこなうことができる。
【考案を実施するための最良の形態】
【０００６】ある程度完成された図形（１）と完成図（２）の両方を紙面上等に提示し、図形（１）にどのように直角二等辺三角形を加えたら、完成図（２）になるのかを高齢者に考えさせ求める。
【実施例】
【０００７】直角二等辺三角形の駒を用意して、完成図（２）になるように図形（１）に駒を設置させる。駒は、紙で作っても良いし、マグネットなどで作っても良い。【０００８】駒を用意せず、鉛筆等を用いて、図形（１）に直角二等辺三角形を記入させる。
【図面の簡単な説明】
【０００９】
【図１】本考案の実施例
【符号の説明】
【００１０】（１）請求項１における図形・直角二等辺三角形を付け加える前の図形
（２）請求項１における意味のある図形・完成図形
（３）実施例における直角二等辺三角形の駒
【図１】
0003117563.tif 000003
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
図形（１）と図形（２）と５枚の駒（３）からなる。
図形（１）は、正方形と直角二等辺三角形を組み合わせたもので、構成要素である正方形の１辺と直角二等辺三角形の直角をはさむ２辺は同じ長さである。
駒（３）は直角をはさむ２辺が、図形（１）の構成要素である正方形の１辺と同じ長さである直角二等辺三角形である。
図形（１）に駒（３）を組み合わせて、意味ある図形（２）を作る。
【請求項２】
均等に分割された升目上に請求項１記載の図形（１）と図形（２）を示した紙面（４）からなるテキスト。
【手続補正３】
【補正対象書類名】明細書
【補正対象項目名】０００９
【補正方法】変更
【補正の内容】
【０００９】
【図１】本考案の実施例
【図２】本考案の請求項２の紙面（４）の実施例
【図３】本考案の請求項１の図形（１）の実施例
【手続補正４】
【補正対象書類名】明細書
【補正対象項目名】００１０
【補正方法】変更
【補正の内容】
【００１０】（１）請求項１における図形・直角二等辺三角形を付け加える前の図形
（２）請求項１における意味のある図形・完成図形
（３）請求項１および実施例における直角二等辺三角形の駒
（４）請求項２における紙面
【手続補正５】
【補正対象書類名】図面
【補正対象項目名】全図
【補正方法】変更
【補正の内容】
【図１】
0003117563.tif 000004
【図２】
0003117563.tif 000005
【図３】
0003117563.tif 000006
【手続補正書】
【提出日】平成17年10月20日(2005.10.20)
【手続補正１】
【補正対象書類名】実用新案登録請求の範囲
【補正対象項目名】全文
【補正方法】変更
【補正の内容】
【実用新案登録請求の範囲】
【請求項１】
１．図形（１）と図形（２）と５枚の駒（３）からなる。
２．図形（１）は、正方形と直角二等辺三角形を組み合わせたもので、構成要素である正方形の１辺と直角二等辺三角形の直角をはさむ２辺は同じ長さである。
３．駒（３）は直角をはさむ２辺が、図形（１）の構成要素である正方形の１辺と同じ長さである直角二等辺三角形である。
４．図形（１）に駒（３）を組み合わせて、意味ある図形（２）を作る。
以上からなる認知症予防のためのパズル。
【請求項２】
均等に分割された升目上に請求項１記載の図形（１）と図形（２）を示した紙面（４）からなるテキスト。
(57)【要約】      （修正有）【課題】工事費は低く出来、ランニングコスト及びメンテナンスは殆ど必要でない屋根融雪と屋根断熱を兼ね備えた設備の提供。【解決手段】２４時間換気設備より、常に冷暖排気熱による熱源を収得、排気熱伝達路５より排気熱を排気熱伝導穴より屋根面に熱伝導、冬季に雪を融雪、夏季に冷却とエアーカーテン作用による屋根断熱効果がある。又、棟から排気を排出すれば化学物質を人畜より離れた場所で放散できる【選択図】図１
0003117561.tif 000002
【実用新案登録請求の範囲】
【請求項１】
屋根融雪及び屋根断熱において、２４時間換気設備の強制排気冷暖熱を排気熱伝導路に導入する事を特徴とする。
【請求項２】
屋根融雪及び屋根断熱において、有孔ベニヤと垂木と断熱材の組み合わせをしている排熱伝導路に排熱を通すことで排熱伝導穴より直接屋根面に熱伝導させる事を特徴とする。
【考案の詳細な説明】
【技術分野】
【０００１】２４時間換気設備の強制排気冷暖熱を利用した屋根融雪及び屋根断熱に関するものである。
【背景技術】
【０００２】  従来の屋根融雪はルーフィングヒーター及び小屋裏に熱をこもらせる事で屋根融雪としたが、この場合、高額な工事費及び電気および燃料消費料等が必要である上、運転準備等の時間の拘束が科せられる。
【考案の開示】
【考案が解決しようとする課題】
【０００３】  屋根面を暖める方法として従来の設備は融雪のために電気及び燃料消費料等が必要である。２４時間換気設備は居室等に新鮮な空気を入れかえるだけでなく化学物質を屋外に放散させなければならない。勿論、小屋裏にも換気等を設けなければならない規定がある。小屋裏等に熱をこもらせることは屋内に化学物質を放散しているに等しくなる為いかに排気を屋外に排出するか、又経済的にも効率よい屋根の融雪方法及び構造が課題である。
【課題を解決するための手段】
【０００４】  建築基準法の改正により居室内に２４時間換気設備を設けなければならない規定になっている。寒さの増す冬期間は、居室内の暖房の設定温度が２０度より高い傾向にある。部屋を換気する為に外部に排気熱を放散させていた、その換気排気熱を本案の特徴としている排気熱伝導路に通すことで熱伝導穴より直接屋根面に常に熱伝導し屋根融雪効果を期待する。夏期間は暑くなるほど室温を低くする傾向にある。上記同様に屋根裏を通すと排気冷気の熱伝導及びエアーカーテンの様な作用があり屋根断熱効果も向上することを期待する。排気の化学物質の排出先として屋根の一番上の棟から放出可能とした。
【考案の効果】
【０００５】  ２４時間換気熱を熱伝導路を通すことにより排気熱伝導穴より常に屋根面に排気熱を伝導しより効率よく屋根融雪及び屋根断熱を可能にした。他の方法に比べて工事費は低く出来、室内の排熱を熱源とするのでランニングコスト及びメンテナンスは殆ど必要でない。又、棟から排気を排出すれば有害な科学物質を人畜より離れた場所で放散できる。本案は、大変効率的で、手間暇いらずの工法といえる。
屋根融雪効果を高める為にＦＦ式温風暖房機等の温風をダクトにて強制排気換気扇口まで導入すればさらに効果は増大する。
【考案を実施するための最良の形態】
【０００６】
【イ】
強制排気扇より排気熱をダクトにて排気熱ボックスに導入
【ロ】
排気熱ボックスより排気熱伝達路に導入。排気熱伝導路の構成は、有孔ベニヤと垂木と断熱材の組み合わせからなり、有孔ベニヤと断熱材との間に排気熱通路を設け有孔べニヤの穴より直接屋根面に熱伝導させる構造。
【ハ】
冬季、排気流通路に暖排気熱を通すことにより直接排気熱伝導穴より屋根面に排気熱を伝導させ屋根の融雪を行う。
【ニ】
気流通路に冷排気熱を通すことにより直接排気熱伝導穴より熱伝導し冷却及びエアーカーテン作用による屋根断熱効果。
【ホ】
棟から排気を排出。
【図面の簡単な説明】
【０００７】
【図１】排気熱系統図の切妻屋根型の断面図である。
【図２】排気熱ボックス及び排気熱伝導路配置図（小屋伏図）である。
【図３】排気熱ボックスの断面図である。
【図４】野地板（有孔ベニヤ）と垂木と断熱材の組合せによる排気熱伝導路の断面図である。
【符号の説明】
【０００８】１・給気
２・強制排気熱
３・排気熱ダクト
４・排気熱ボックス
５・排気熱伝導路
６・排気排出
７・外部
８・室内
９・小屋裏
【図１】
0003117561.tif 000003
【図２】
0003117561.tif 000004
【図３】
0003117561.tif 000005
【図４】
0003117561.tif 000006
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
２４時間換気設備の強制排気冷暖熱を排気熱伝導路に導入する事を特徴とする屋根融雪と屋根断熱を兼ね備えた設備。
【請求項２】
有孔ベニヤと垂木と断熱材の組み合わせによる排熱伝導路に排熱を通すことで排熱伝導穴より直接屋根面に熱伝導させる事を特徴とする屋根融雪と屋根断熱を兼ね備えた設備。
(57)【要約】      （修正有）【課題】現状の型を維持したままで、尚かつ労働や激しい運動などの動作をしても負担を感じさせない加工を発明した洋服を提供する。【解決手段】表地、普通袖（セットインスリーブ）に対して裏地側をラグランスリーブ  としてパターン作成し肩部分の周囲にゆとりをもたせる事により解決する。【選択図】図５
0003117564.tif 000002
【実用新案登録請求の範囲】
【請求項１】
上衣のセットインスリーブでも激しい運動をしても楽に着用できる事を特徴とする。
【請求項２】
上衣を着た事による、肩こりなどを防止できる利点を有りするものである
【請求項３】
外見のデザイン的な変化を求めなくても実現できる。
【請求項４】
男女（上衣、コート）に対しても適用可能とする。
【請求項５】
学生服、軍服などの詰襟の（上衣、コート）にたいしても適用可能。
【請求項６】
礼服やコートなどにも適用可能。
【考案の詳細な説明】
【技術分野】
【０００１】本考案は、普通袖（セットインスリーブ）に対して裏地側をラグランスリーブとして、スポーツ可能の洋服が出来る。
【技術背景】
【０００２】上衣の普通袖（セットインスリーブ）はそのままで、裏地浮かせる事により生地の引きつれを無くした。これによりデザインの優位性を保つ事が出来た。
【０００３】裏地と身頃とを浮かせた事で分離し解決をした。
【考案の開示】
【考案が解決しようとする課題】
【０００４】（１）本考案は、セットインスリーブに対し裏地側をラグランスリープのパターンを作成した。
（２）課題の肩部周辺をゆとりを作り運動量を多く保つ
（３）袖に、肘部分運動量を作る
【考案の効果】
【０００５】（イ）裏地側をラグランスリーブとして２枚スリープの中心にゆとり量としてボックスを取る事で自由になる。
（ロ）裏地側にパット付ける事によって肩周囲が楽になった。
（ハ）身頃と裏地を切り離し（ふらし）中とじゴムループに寄って運動量を保つ事が出来る。
【考案の実施するための最良の形態】
【０００６】本考案は肩部分、腕部分に運動量が多くなる。
袖裏の肘部分にタックを入れ運動しやすくなる。
普通袖（セットインスリーブ）全種類の洋服に使用可
【図面の簡単な説明】
【０００７】
【図１】  考案裏地
【図２】  ラグランスリーブ
【図３】  セットインスリーブ運動量の違い
【図４】  パット付け
【図５】  表面と裏面（点線が有るのが裏地）
【符号の説朋】
【０００８】（図１）考案裏地
１：背裏ボックス
２：パット
３：パット付け
４：袖裏ボックス
（図２）ゼッインとラグランスリーブ
ａ：前ラグラン
ｂ：後ろラグラン
ｃ：袖裏ボックス
ｄ：セツトイン
ｅ：肘タック
（図３）ラグランスリーブ裏
１ａ：ラグラン裏地
２ａ：セットインスリーブ
３ａ：３ａ〜４ａ運動率
（図４）ラグランパット付け
１ｃ：パット縫い代とじ
２ｃ：２ｃ〜３ｃゴム糸ルーブとじ
４ｃ：パット裏地とじ
【図１】
0003117564.tif 000003
【図２】
0003117564.tif 000004
【図３】
0003117564.tif 000005
【図４】
0003117564.tif 000006
【図５】
0003117564.tif 000007
【手続補正書】
【提出日】平成17年9月28日(2005.9.28)
【手続補正１】
【補正対象書類名】実用新案登録請求の範囲
【補正対象項目名】全文
【補正方法】変更
【補正の内容】
【実用新案登録請求の範囲】
【請求項１】
セットインスリーブの裏地側をラグランスリーブとした運動可能な洋服。
【請求項２】
セットインスリーブの裏側をラグランスリーブとしたコート。
【請求項３】
前記セットインスリーブは、身頃と裏地を中とじゴムループによって切り離し（ふらし）となる請求項１又は請求項２記載の洋服又はコート。
【手続補正２】
【補正対象書類名】明細書
【補正対象項目名】０００５
【補正方法】変更
【補正の内容】
【０００５】（イ）  裏地側をラグランスリーブとして２枚スリーブの中心にゆとり量としてボックスを取る事で自由になる。
（ロ）  裏地側にパットをつける事によって肩周囲が楽になる。
（ハ）  身頃と裏地を切り離し（ふらし）中とじをゴムループに寄って運動量を保つ事ができる。
（ニ）上衣を着た事による肩こりなどを防止外見のデザイン的な変化求めなくても実現できる。
【手続補正３】
【補正対象書類名】明細書
【補正対象項目名】０００６
【補正方法】変更
【補正の内容】
【０００６】（イ）  本考案は肩部分、腕部分に運動量が多くなる。
（ロ）  裏地の肘部分にタックを入れ運動しやすくなる。
（ハ）普通袖（セットインスリーブ）男女の（上衣、コート）学生服や詰襟の（上衣、コート）あるいは礼服やコート  などにも適用出来る。
(57)【要約】      （修正有）【課題】情報が漏洩したことをいち早く察知し、情報を悪用されるのを未然に防ぐ。【解決手段】剥離フィルムを封筒に貼り付けることで、再度閉封することができないため、開封したことが明確になり情報漏洩を察知し、未然に対処する。【選択図】図１
0003117570.tif 000002
【実用新案登録請求の範囲】
【請求項１】
一度、開封すると再度貼り付けることができなくなり、開封したことが明確になるため情報漏洩が察知できる。
【考案の詳細な説明】
【技術分野】
【０００１】本発明は、情報漏洩を防ぐための密封型封筒で、再付着を不可能にする。
【背景技術】
【０００２】封筒に剥離フィルムを貼り付け、一定温度の熱を加えることにより密封させる。
【考案の開示】
【考案が解決しようとする課題】
【０００３】個人情報（パスワード、ＩＤ、暗証番号）など、第三者に知られた事が明瞭になることで、悪用されることを防ぐ
【課題を解決するための手段】
【０００４】開封の有無を明確に判断できる
【考案の効果】
【０００５】個人情報などが漏洩した可能性を、いち早く察知することができるため、新たなパスワード、ＩＤ、暗証番号等を変更する必要性を知ることができる。
【考案を実施するための最良の形態】
【０００６】剥離フィルムを封筒に貼り付けることで、再度閉封することができないため、開封されたことが明瞭になり情報漏洩が察知できる。
【産業上の利用可能性】
【０００７】パスワード、ＩＤ、暗証番号等の発送（郵送）
【図面の簡単な説明】
【図１】 
【図１】
0003117570.tif 000003
【図２】
0003117570.tif 000004
【手続補正書】
【提出日】平成17年9月20日(2005.9.20)
【手続補正２】
【補正対象書類名】実用新案登録請求の範囲
【補正対象項目名】全文
【補正方法】変更
【補正の内容】
【実用新案登録請求の範囲】
【請求項１】
封筒の折り返し部分に剥離フィルムを貼り付けることにより、開封すると剥離フィルムが分離し再度貼り付けることができなくなり、開封された事が明確になるという構造を有する情報開示確認封筒
【手続補正３】
【補正対象書類名】明細書
【補正対象項目名】全文
【補正方法】変更
【補正の内容】
【考案の詳細な説明】
【技術分野】
【０００１】本発明は、情報漏洩を防ぐための密封型封筒で、再付着を不可能にする。
【背景技術】
【０００２】封筒に剥離フィルムを貼り付け、一定温度の熱を加えることにより密封させる。
【考案の開示】
【考案が解決しようとする課題】
【０００３】個人情報（パスワード、ＩＤ、暗証番号）など、第三者に知られた事が明瞭になることで、悪用されることを防ぐ
【課題を解決するための手段】
【０００４】開封の有無を明確に判断できる
【考案の効果】
【０００５】個人情報などが漏洩した可能性を、いち早く察知することができるため、新たなパスワード、ＩＤ、暗証番号等を変更する必要性を知ることができる。
【考案を実施するための最良の形態】
【０００６】剥離フィルムを封筒に貼り付けることで、再度閉封することができないため、開封されたことが明瞭になり情報漏洩が察知できる。
【産業上の利用可能性】
【０００７】パスワード、ＩＤ、暗証番号等の発送（郵送）
【図面の簡単な説明】
【０００８】
【図１】平面図  封をする前の状態で、斜線の部分に剥離フィルムを貼り付ける。
【図２】平面図  開封した状態。剥離フィルムが剥がれ開封されたことが明確になる。
(57)【要約】      （修正有）【課題】糞を直接ビニ−ル袋に回収して、犬の散歩が楽しくなり簡単且つ清潔で環境美化にもつながる糞回収器の提供。【解決手段】プラスチック製の容器１を容器２にセットした後、糞回収用のビニ−ル袋の底を容器１の先端に取り付けている止め金にはさむ。次に、ビニ−ル袋全体を裏返しにして犬が落す糞を、ビニ−ル袋の先端で受けとめ、容器１を引き抜くと糞は反転したビニ−ル袋の中に回収できる構造になっている。容器２は、オシャレな絵柄の外観で、回収した糞の入ったビニ−ル袋及び容器１をコンパクトに収納出来る。又、携行出来るように、適度な長さのヒモが付いている。【選択図】図６
0003117562.tif 000002
【実用新案登録請求の範囲】
【請求項１】
飼い犬が散歩又は家の中等で便意を催した時、直接糞を回収する器具で、プラスチック製の容器１を容器２にセットした後、糞回収用のビニ−ル袋の底を容器１の先端に取り付けている止め金にはさむ。次に、ビニ−ル袋全体を裏返しにして犬が落す糞を、ビニ−ル袋の先端で受けとめ、容器１を引き抜くと糞は反転したビニ−ル袋の中に回収できる構造になっている。容器２は、オシャレな絵柄の外観で、回収した糞の入ったビニ−ル袋及び容器１をコンパクトに収納出来る。又、携行出来るように、適度な長さのヒモが付いている。
【考案の詳細な説明】
【技術分野】
【０００１】本考案は、犬が落す糞を直接ビニ−ル袋の先端で受けとめ、そのまま回収するためのコンパクトな器具に関する。
【背景技術】
【０００２】従来は、犬が一旦道路上等に落した糞をビニ−ル袋越しに手でつかむとか、スコップ等の用具で拾う方法が一般的である。
【考案の開示】
【考案が解決しょうとする課題】
【０００３】ビニ−ル袋越しに手で糞を回収する時、恥ずかしい、きたない等の抵抗感がある。又、用具を持って歩くのが面倒くさいので糞を放置する、回収しても取り残しがある。汚れた用具や回収した糞の入った袋を持ち歩くのも見栄えが悪い。
【課題を解決するための手段】
【０００４】飼い犬が散歩又は家の中等で便意を催した時、直接糞を回収する器具で、プラスチック製の容器１を容器２にセットした後、糞回収用のビニ−ル袋の底を容器１の先端に取り付けている止め金にはさむ。次に、ビニ−ル袋全体を裏返しにして犬が落す糞を、ビニ−ル袋の先端で受けとめ、容器１を引き抜くと糞は反転したビニ−ル袋の中に回収できる構造になっている。容器２は、オシャレな絵柄の外観で、回収した糞の入ったビニ−ル袋及び容器１をコンパクトに収納出来る。又、携行出来るように、適度な長さのヒモが付いている。
【考案の効果】
【０００５】道路等や回収器を汚さずに簡単に糞が回収出来るので、清潔で環境美化にもつながる。又、回収した糞の入ったビニ−ル袋等は、コンパクトでオシャレな容器に収納出来るので、犬の散歩が楽しくなる。
【図面の簡単な説明】
【０００６】
【図１】容器１  ちりとり型のプラスチック製容器で、ビニ−ル袋をはさむ止め金と、糞を引き出す時の把手を取り付けたものである。
【図２】容器２  ２層に区切ったプラスチック製の箱で、１層部分は底が開いており、容器１を自在に出し入れしたり、収納する。又、２層部分は糞が入ったビニ−ル袋を収納する。その際、ｈにビニ−ル袋の手提げ部分を引っ掛ける。
【図３】ビニ−ル袋をセットした説明図である。
【図４】糞を受けとめた説明図である。
【図５】把手を引っ張って糞が入ったビニ−ル袋を反転させながら回収している説明図である。
【図６】容器１と回収した糞の入ったビニ−ル袋を容器２に収納した説明図である。
【符号の説明】
【０００７】ａ  容器１
ｂ  ビニ−ル袋をはさむ止め金
ｃ  糞をさせた後、ビニ−ル袋を反転させながら引き抜く把手
ｄ  容器２で、ビニ−ル袋を反転させる機能と糞をさせた後のビニ−ル袋や容器１を収納する機能がある。
ｅ  器具全体を持ち運ぶヒモ
ｆ  ビニ−ル袋
ｇ  糞
ｈ  容器１の把手の一部
【図１】
0003117562.tif 000003
【図２】
0003117562.tif 000004
【図３】
0003117562.tif 000005
【図４】
0003117562.tif 000006
【図５】
0003117562.tif 000007
【図６】
0003117562.tif 000008
【手続補正書】
【提出日】平成17年8月10日(2005.8.10)
【手続補正１】
【補正対象書類名】実用新案登録請求の範囲
【補正対象項目名】請求項１
【補正方法】変更
【補正の内容】
【請求項１】
プラスチック製の容器１及び容器２と、犬の糞の入るビニ−ル袋ｆの３部品から構成される犬の糞回収器具であって、容器１は、チリトリ型の形状で、一端に把手ｃ、他端に止め金ｂが設けられており、容器２は、２層に区切った構造の箱型で、１層部分は、底が開いており、容器１を自在に出し入れ出来るようになっており、２層部分は、底があり、容器１を収納できるようになっていて、回収した犬の糞の入ったビニ−ル袋ｆは、容器１の把手の一部ｈに掛ける事が出来るようになっている構造の犬の糞回収器具。